(57)【要約】【課題】強度が大きく、組立てが容易なＵ字溝パネルを提供する。【解決手段】一体成形からなる底板１と、その左右に接続された側板２、２とからなり、前記底板１と側板２の連結部３に互いに対向接触する斜壁３ｂ、３ｃが設けられ、この一方の斜壁３ｂに突条体３ｄが形成され、他方の斜壁３ｃに凹条溝３ｅが形成され、パネルの二重壁には、補強溝４、６が設けられ、これにより強度が十分で組立てが容易なパネルが得られる。【選択図】図２
2020172778.tif 000002
【特許請求の範囲】
【請求項１】
底板とその左右の２枚の側板からなり、これら底板と側板は二重壁から構成され、前記底板と側板の連結部には、側壁を折り上げたときに、互いに対向接触する斜壁が設けられ、この斜壁の一方には、突条体が形成され、斜壁の他方には側板を折り上げたときに前記突条体に係合する凹条溝が形成されている折りたたみ式Ｕ字溝パネル。
【請求項２】
前記突条体と凹条溝は、水の流れる方向に互いに対向して伸びている請求項１記載の折りたたみ式Ｕ字溝パネル。
【請求項３】
前記側板の二重壁をなす内壁と外壁には、前記側板を折り上げたときに側板の上下方向に伸びる補強溝が形成され、前記左右の側板の内壁に形成される補強溝は互いに対向位置にその上端まで伸びて開放され、この対向補強溝には、水の流れを制御する堰板が着脱自在に取り付けられる請求項１記載の折りたたみ式Ｕ字溝パネル。
【請求項４】
前記底板の内壁は平坦である請求項１記載の折りたたみ式Ｕ字溝パネル。
【請求項５】
前記Ｕ字溝パネル及び堰板はポリエチレンで形成されている請求項３記載の折りたたみ式Ｕ字溝パネル。
【発明の詳細な説明】
【技術分野】
【０００１】
本発明は、山地において雨水の流れを制御したり、平地において事業用水を流す溝に設置されるＵ字溝パネルに関する。
【背景技術】
【０００２】
最近、山地において大量の雨が降って土砂崩れが多数発生したり、大洪水がしばしば起きたりして雨水のコントロール不良により大災害が発生している。また、道路脇の側溝の不設置により道路が使用できなくなったり、あるいは農業用の用水路の不設置等により作物の成長が十分期待できない場合があった。これらの場合に、山地の法面の水路、道路の側溝、農業用水路にコンクリートのＵ字溝を使用すると重いので、大掛かりな工事が必要となり、特に法面においては、その重量のため法面が崩れやすくなるため、軽くて搬送に便利で現場で簡易に組立てられるプラスチック製の折りたたみ式又は組立て式のＵ字溝パネルが考案されている。
【先行技術文献】
【特許文献】
【０００３】
【特許文献１】実公昭６３−６２９８号
【特許文献２】特開平９-３２８８０６号
【発明の概要】
【発明が解決しようとする課題】
【０００４】
特許文献１におけるＵ字状構造物及び特許文献２における樹脂製溝は、いずれも樹脂からなり、特許文献１は折りたたみ式で、特許文献２は組立て式である。特許文献１のものは、その長さ方向に複数本のＶ字状の屈曲溝５を有し、その屈曲溝５を折曲部として折り曲げてＵ字状に形成し、補強と曲げ剛性を高めるために構造物の巾方向に凹溝８を形成している。このＵ字状構造物は、組立ては容易であるが、単一板からなり強度的には不十分で、水の流れる部分（底面と側面）に凹凸が形成され、水のスムースな流れに対する障害がある。また、特許文献２のものは、底板３１、側板３５、下側側部１１及び上側側部２１等の複数部品を組立てて構成しなければならず、組立てに時間がかかるし、現場への搬送も煩わしい。
【課題を解決するための手段】
【０００５】
本発明の折りたたみ式Ｕ字溝パネルは、底板とその左右の２枚の側板からなり、これら底板と側板は二重壁から構成され、前記底板と側板の連結部には、側壁を折り上げたときに、互いに対向接触する斜壁が設けられ、この斜壁の一方には、突条体が形成され、斜壁の他方には、前記突条体に係合する凹条溝が形成されていることが好ましい。
【０００６】
前記突条体と凹条溝は、水の流れる方向に互いに対向して伸びていることが好ましい。
【０００７】
また、前記側板の二重壁をなす内壁と外壁には、側板を折り上げたときに側板の上下方向に延びる補強溝が形成され、前記左右の側板の内壁に形成される補強溝は互いに対向位置に側板の上端に開放して形成され、この対向補強溝には、Ｕ字溝の水の流れを制御する堰板が着脱自在に取り付けられ得ることが好ましい。
【０００８】
また、前記底板の内壁は平坦であることが好ましい。
【０００９】
また、前記パネルはポリエチレンで形成されることが好ましい。
【発明の効果】
【００１０】
本発明のＵ字溝パネルは、底板とその左右の側板からなり、二重壁で構成されているので、強度的にも十分であり、折りたたみ式なので、搬送時には平坦にして搬送できる。また、底板と側板の連結部の一方の斜壁には突条体を設け、これと対向する他方の斜壁には、突条体と係合する凹条溝を形成したので、連結部の強度も十分であるし、突条体と凹条溝とを結合させれば、側板は垂直に保持されて現場での設置作業が容易となる。
【００１１】
また、前記側板の外壁及び内壁には、補強溝が形成されているので、パネルの強度が増すとともに内壁の補強溝は水の流量調節用の堰板の着脱自在支持溝を兼ねることが出来る。加えて、外壁に形成された補強溝は、側板に沿う土砂が崩れ左右側板に沿う土砂の流れにずれが生じたときに、土砂の流れの抵抗が凸状体に比較して小さいので、Ｕ字溝パネルの破損を防止することができる。更に、また、底板はフラットに形成されているので、パネルを平地に農業用として設置した場合でも、水の流れを妨害しないし、溝内に水が残留してしまうということがない。
【００１２】
更に、また、前記パネルはポリエチレンで形成されているので、リユースでき環境負荷を小さくすることができる。
【図面の簡単な説明】
【００１３】
【図１】本発明のＵ字溝パネルの平面図である。
【図２】本発明のＵ字溝パネルの左右側板を折り上げた状態を示す斜視図である。
【図３】Ｕ字溝パネルの底板と側板の連結部の斜視図である。
【図４】連結部の正面図である。
【図５】連結部の他の実施例を示す斜視図である。
【図６】連結部の更に他の実施例を示す斜視図である。
【図７】底板の縦断面図である。
【図８】第２図のＶＩＩＩ-ＶＩＩＩ線に沿う側板の断面図である。
【図９】堰板を設置した時の斜視図である。
【図１０】Ｕ字溝パネルの側板同士を保持するための固定板の斜視図である。
【発明を実施するための形態】
【００１４】
以下、図面を参照して本発明の実施態様について説明する。
【００１５】
図１、２において、本発明のＵ字溝パネルＰは、その中央部に底板１を備え、この底板１の左右に２枚の側板２、２が連結部３、３を介して折りたたみ可能に連結されている。
【００１６】
前記底板１は、図７に示すように、平坦な内壁１ａ（水に接する）及び外壁1ｂ（土砂に接する）からなり、側板２は、図８に示すように水に接する内壁２ａ及び土砂に接する外壁2ｂからなり、このような二重壁は強度が大きく、両壁間に空間があるので、側板においては、各壁の内側に突部を形成することができて土砂側に突部を張出す必要がない。すなわち、前記側板２の内壁２ａには、補強溝４が水の流れ方向に所定間隔で設けられ、左右の側板の補強溝４は互いに対向設置され、その上端は開放されて、水の流れを調節するための堰板５を着脱自在に支持する指示溝を兼ねている（図９）。前記外壁２ｂには、水の流れ方向に所定間隔で側板を折り上げたときに上下方向に伸びる補強溝６、６が設けられ、この補強溝６は外壁２ｂの内側に凹んで、土砂側に突出形成した突起に比較して土砂が崩れて水の流れ方向に移動したときにその抵抗が少なく、左右の側壁に接する土砂の流れにずれが生じたときでも、Ｕ字溝パネルの遮断破損が回避できる。
【００１７】
また、前記底板１の内壁１ａは平坦に形成され（補強溝なし）、Ｕ字溝パネルＰを平地に設置した場合にも、水の流れを妨害しないし、水がその中に滞留することが避けられる。なお、前記底板１及び側板２は金型にポリエチレンを流し込んで一体に成形されて所定厚の一体成形体をなし、複数枚積層してコンパクトな積層体にすることができて搬送が容易となる。
【００１８】
前記連結部３は図３、４に示すように、薄肉で且つ底板１及び側板２の外壁１ｂ及び２ｂと面一で柔軟性を有した水の流れ方向に細長く伸びるつなぎ部３ａと、その両側に約４５度の角度で拡開する斜壁３ｂ（底板側）と斜壁３ｃ（側板側）と、前記斜壁３に水の流れ方向に連続して伸びる突条体３ｄと、この突条体３ｄが係合する斜壁３ｃに形成された凹条溝３ｅとを有し、底板１に対して側板２を折り上げたときに、斜壁３ｂと３ｃとが互いに密着して側板２が底板１に対して固定され、組立て時に側板２を押さえていなくとも側板が外側に倒れることがなく、組立てが容易となるばかりでなく、連結部の強度も増加する。なお、側板２の上端は、図１０に示すように、それらが固定板１０によって互いに開かないように固定される。前記固定板１０は、その両側に係合部１１、１１を有し、各係合部１１は側板２の上端面に係合するようにその外壁２ｂと内壁２ａに接触する狭持板１２、１３を有している。
【００１９】
前記連結部３の突条体３ｄと凹条溝３ｅの代わりに、図５に示すように、間隔を配して形成した突条体３ｆのようなものでもよく、図６に示すように、斜壁３ｂの傾斜方向に伸びる突条体３ｇのようなものでもよい。なお、斜壁３ｂに対向する斜壁３ｃには、図示しないが、各突条体３ｆ、３ｇに対応して凹条溝が形成されている。
【産業上の利用可能性】
【００２０】
山地の傾斜面、平地の道路脇の側溝又は農業用水路として使用され得る。
【符号の説明】
【００２１】
１…底板
２…側板
３…連結部
３ａ…つなぎ部
３ｃ、３ｂ…斜壁
３ｄ…突条体
３ｅ…突条溝
４、６…補強溝
【図１】
2020172778.tif 000003
【図２】
2020172778.tif 000004
【図３】
2020172778.tif 000005
【図４】
2020172778.tif 000006
【図５】
2020172778.tif 000007
【図６】
2020172778.tif 000008
【図７】
2020172778.tif 000009
【図８】
2020172778.tif 000010
【図９】
2020172778.tif 000011
【図１０】
2020172778.tif 000012